【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
容量性タッチセンサ用のアクティブスタイラスで信号を送信および受信する方法であって、前記アクティブスタイラスが、電極と、該電極を通じて電流を受けると共に前記電極に対して電圧を送る少なくとも１つの回路とを備え、当該方法が、
送信モードで、
スイッチモード電源回路を使用して電圧を生成するステップであって、前記スイッチモード電源回路が、少なくともインダクタおよびダイオードを含み、前記ダイオードが変圧器に結合される、ステップと、
前記送信モードで前記ダイオードに間欠的に順方向バイアスをかけることを許可し、電流が前記ダイオードを通じて漂遊容量に流れることを許可するステップと、
前記漂遊容量の両端間に形成される前記電圧から、受信モードで前記電流を受けるように構成された前記回路内の少なくともいくつかの構成要素を電気的に分離するために、前記送信モードでスイッチをオープンするように構成するステップと
により、前記電極に結合されたノードを通じて電圧を送るための前記回路を構成するステップと、
前記受信モードで、
前記受信モードで前記電流を受けるように構成された前記回路内において前記電気分離された構成要素への前記電流を受けるために、前記送信モードでオープンされた前記スイッチを前記受信モードでクローズするように構成するステップと、
前記受信モードで逆方向バイアスをかけるように前記ダイオードを構成し、それによって前記受信モードで前記電流を受けるように構成された前記回路内の前記構成要素の少なくとも一部が、前記スイッチモード電源回路内の前記変圧器のインダクタンスから電気的に分離されるステップと
により、前記電極に結合された前記ノードを通じて前記電流を受ける前記回路を構成するステップと
を含むことを特徴とする方法。
【請求項２】
抵抗器が前記ダイオードに結合され、当該方法が更に、前記回路の接地電圧よりも高い基準電圧を前記抵抗器の少なくとも１つの端子上に供給するステップを含むことを特徴とする、請求項１に記載の方法。
【請求項３】
前記受信モードで、受けた電流の少なくとも一部を電流受信機回路に送るステップであって、前記電流受信機回路がマイクロコントローラで制御されるステップを更に含むことを特徴とする、請求項１に記載の方法。
【請求項４】
前記構成するステップが、前記電極に結合された前記ノード上の１つまたは複数の構成要素に関連する寄生容量の両端間に形成される電圧から、前記受信モードで前記電流を受けるように構成された前記回路内の少なくともいくつかの構成要素を電気的に分離するために、前記送信モードでオープンするように前記スイッチを構成するステップを含むことを特徴とする、請求項１に記載の方法。
【請求項５】
前記電極に結合された前記ノードで前記漂遊容量と並列に第２の計画的容量を配置するステップを更に含むことを特徴とする、請求項４に記載の方法。
【請求項６】
１マイクロアンペアのオーダーの前記電流を受けるステップと、１００ボルトのオーダーの電圧を送るステップとを更に含むことを特徴とする、請求項５に記載の方法。
【請求項７】
前記スイッチモード電源回路がフライバック回路を含むことを特徴とする、請求項１に記載の方法。
【請求項８】
容量性タッチセンサ用のアクティブスタイラスで信号を送信および受信する装置であって、電極から電流を受けると共に、前記電極上に電圧を送る少なくとも１つの回路を有し、当該装置が、
前記電極と、
受信モードで前記電流を受けるように構成された構成要素と、
少なくとも変圧器およびダイオードを含むスイッチモード電源回路であって、前記ダイオードが前記変圧器に結合されるスイッチモード電源回路と、
前記アクティブスタイラスを前記受信モードおよび送信モードの間で切り替えるスイッチと
を備え、
前記送信モードでは、前記電極に前記電圧を送る前記回路が、
前記スイッチモード電源回路を使用して前記電圧を生成し、
前記ダイオードに間欠的に順方向バイアスをかけ、電流が前記ダイオードを通じて漂遊容量に流れるのを許可し、
前記漂遊容量の両端間に形成される前記電圧から、前記受信モードで前記電流を受けるように構成された前記構成要素の少なくとも一部を電気的に分離するために、前記スイッチをオープンする
ように構成され、
前記受信モードでは、前記電極から前記電流を受ける前記回路が、
前記電流を受けるように構成された前記電気的に分離された構成要素への前記電流を受けるように前記スイッチをクローズし、
前記受信モードで逆方向バイアスをかけるように前記ダイオードを許可し、それによって前記受信モードで前記電流を受けるように構成された前記構成要素の少なくとも一部が、前記スイッチモード電源回路内の前記変圧器のインダクタンスから電気的に分離される
ように構成されることを特徴とする、装置。
【請求項９】
前記スイッチモード電源回路がフライバック回路を含むことを特徴とする、請求項８に記載の装置。
【請求項１０】
抵抗器を更に備え、前記抵抗器が前記ダイオードに結合され、前記回路が、前記回路の接地電圧よりも高い基準電圧を前記抵抗器の少なくとも１つの端子上に供給するように構成されることを特徴とする、請求項８に記載の装置。
【請求項１１】
前記回路が、前記受信モードで、前記受けた電流の少なくとも一部を電流受信機回路に送るように構成され、前記電流受信機回路がマイクロコントローラで制御されることを特徴とする、請求項８に記載の装置。
【請求項１２】
前記漂遊容量が、前記電極に結合されるノード上の１つまたは複数の構成要素に関連する寄生容量を含むことを特徴とする、請求項８に記載の装置。
【請求項１３】
前記電極に結合されたノードにおいて前記漂遊容量と並列に配置される第２の計画的容量を更に備えることを特徴とする、請求項８に記載の装置。
【請求項１４】
前記受ける電流が１マイクロアンペアのオーダーであり、前記送る電圧が１００ボルトのオーダーであることを特徴とする、請求項８に記載の装置。
【請求項１５】
容量性タッチセンサ用のアクティブスタイラスで信号を送信および受信するシステムであって、電極から電流を受けると共に、前記電極上に電圧を送る少なくとも１つの回路を有し、当該システムが、
前記電極と、
受信モードで前記電流を受けるように構成された構成要素と、
少なくとも変圧器およびダイオードを備えるスイッチモード電源回路であって、前記ダイオードが前記変圧器に結合されるスイッチモード電源回路と、
前記アクティブスタイラスを前記受信モードおよび送信モードの間で切り替えるスイッチと
を備え、
前記送信モードでは、前記電極に前記電圧を送る前記回路が、
前記スイッチモード電源回路を使用して前記電圧を生成し、
前記ダイオードに間欠的に順方向バイアスをかけ、電流が前記ダイオードを通じて漂遊容量に流れるのを許可し、
前記漂遊容量の両端間に形成される電圧から、前記受信モードで前記電流を受けるように構成された前記構成要素の少なくとも一部を電気的に分離するために、前記スイッチをオープンする
ように構成され、
前記受信モードでは、前記電極から前記電流を受ける前記回路が、
前記受信モードで前記電流を受けるように構成された前記構成要素への前記電流を受けるように前記スイッチをクローズし、
前記受信モードで前記電流を受けるように構成された前記構成要素の少なくとも一部を、前記スイッチモード電源回路内の前記変圧器のインダクタンスから電気的に分離する
ように構成されることを特徴とする、システム。
【請求項１６】
前記スイッチモード電源回路がフライバック回路を含むことを特徴とする、請求項１５に記載のシステム。
【請求項１７】
抵抗器を更に備え、前記抵抗器が前記ダイオードに結合され、前記回路が、前記回路の接地電圧よりも高い基準電圧を前記抵抗器の少なくとも１つの端子上に供給する手段を備えることを特徴とする、請求項１５に記載のシステム。
【請求項１８】
前記回路が、前記受信モードで、前記受けた電流の少なくとも一部を電流受信機回路に送る手段を備え、前記電流受信機回路がマイクロコントローラで制御されることを特徴とする、請求項１５に記載のシステム。
【請求項１９】
前記漂遊容量が、前記電極に結合されたノード上の１つまたは複数の構成要素に関連する寄生容量を含むことを特徴とする、請求項１５に記載のシステム。
【請求項２０】
前記電極に結合されたノードで前記漂遊容量と並列に配置される第２の計画的容量を更に備えることを特徴とする請求項１５に記載のシステム。
【請求項２１】
前記受ける電流が１マイクロアンペアのオーダーであり、前記送る電圧が１００ボルトのオーダーであることを特徴とする請求項１５に記載のシステム。